(57)【要約】      （修正有）【課題】法面に間伐材や丸太を格子枠状に組み上げた後、その格子枠内に客土を充填し、または植物の生育に適した生育基盤材を吹付けて緑化を図る工法であり、間伐材の有効利用促進と共に、丸太特有の温もり等自然環境に調和しやすく、さらに、丸太を連結しのり枠を構築することで、法面の安定と緑化を合わせ持った工法である。【解決手段】所定の長さ(L又はL′)に切断した丸太１に、その長さ方向に沿う表面に凹溝路２を成形し、且つその丸太で内角が直角を成す菱形格子を成形すると共に、各菱形格子の丸太交差部Ｃの連結端面同士の凹溝路２・２が合致するように向き合わせ、且つ当該丸太交差部の底部に丸太固定用と起立片４付き取付プレート３を配置すると共に、その取付プレートをアンカー６又はロックボルト６’で傾斜地盤Ｂに固定した構成。【選択図】図２
2005120706.tif 000002
【特許請求の範囲】
【請求項１】
所定の長さ(L)に切断した丸太(1)に、その長さ方向に沿う表面に凹溝路(2)を成形し、且つその丸太を格子(A)に組むと共に、各丸太の交差部(C)における接続端面同士の凹溝路(2)が合致するように対面させたことを特徴とする排水路付き丸太法枠工法。
【請求項２】
所定の長さ(L)に切断した丸太(1)に、その長さ方向に沿う表面に凹溝路(2)を成形し、且つその丸太で内角が直角を成す菱形格子を成形すると共に、各菱形格子の丸太交差部(C)の連結端面同士の凹溝路(2)が合致するように向き合わせ、且つ当該丸太交差部の底部に丸太固定用と起立片(4)付き取付プレート(3)を配置すると共に、その取付プレートをアンカー(6)又はロックボルト（6′)で傾斜地盤(B)に固定したことを特徴とする排水路付き丸太法枠工法。
【請求項３】
所定の長さ(L) に切断した丸太(1)に、その長さ方向に沿う表面に凹溝路(2)を成形し、且つその丸太で内角が直角を成す菱形格子(A)を成形すると共に、各菱形格子の丸太交差部(C)における連結端面同士の凹溝路(2)が合致するように向き合わせ、且つ当該丸太交差部の底部に起立片付き取付プレート(3)を配置すると共に、その取付プレートをアンカー(6)又はロックボルト(6′)で傾斜地盤(B)に固定し、且つ丸太交差部の連結端面近傍にあけた孔(9)と前記取付プレートに木杭(7)を打ち込んで傾斜地盤(B)に固定したことを特徴とする排水路付き丸太法枠工法。
【請求項４】
所定の長さ(L)に切断した丸太(1)に、その長さ方向に沿う表面に凹溝路(2)を成形し、且つその丸太を菱形格子(A)に組むと共に、各丸太交差部(A)の接続端面同士の凹溝路(2)が直線状に合致するように接合し、且つその接合部に平坦部(2′)を形成すると共に、当該平坦部(2′)に二股辺又は一辺に起立片(31)を有する二股形又は矩形の取付プレート(3)を当てがい、ボルト・釘等の止め具(13)を取付プレートの孔(12)に挿通して各格子用丸太(1)に取付プレート(3)を結合して菱形格子(A)を成形し、且つ取付プレートの孔(5)に挿通したアンカー(6)又はロックボルト(6′)で菱形格子の交差部(C)を傾斜地盤(B)に押圧固定したことを特徴とする排水路付き丸太法枠工法。
【発明の詳細な説明】
【技術分野】
【０００１】
本発明は、法面に間伐材や丸太を菱形の格子枠状に間伐材の有効利用促進と共に、丸太特有の温もり等自然環境に調和しやすく、且つ丸太を十字形に連結すると共に、その平面部位を降雨に対応する排水路を設けて法枠を構築することで、法面の安定化を図る工法である。
【背景技術】
【０００２】
一般の法枠工には、モルタル又はコンクリート吹付による吹付法枠工や、プレキャスト製品におけるコンクリート枠、プラスチック枠、金属製枠などによるプレキャストが存在する。
【０００３】
そして、従来、法面に丸太又はコンクリート又は強化プラスチック製のブロックを格子状に組んで降雨による浸食を防止しながら、草木や本木を確実に定着させて生育させるための工法の発明は下記の特許文献に示すように知られている。
【０００４】
【特許文献１】特開２００２−２２０８４０号公開特許公報
【特許文献２】特開２００２−３７１５６１号公開特許公報
【特許文献３】特開平０９−１４４００６号公開特許公報
【発明の開示】
【発明が解決しようとする課題】
【０００５】
ところが前記特許文献１の発明にあっては、丸太を角材に加工し、且つ角材の長さ方向に貫通孔をあけその孔に金属ボルトを挿通して角材同士を連結して格子を組む構造になっている。そのため、広い法面に無数の格子を施工するために多量の金属ボルトを用いなければならず、且つその交差部を各筒状の連結体内で連結するのははなはだ面倒で手間が掛かっていた。
【０００６】
次に、特許文献２の発明にあっては、間伐丸太を用い、その交差部を十字形又は三股形若しくはＩ形に組んで格子枠を成形しているが、降雨に対する排水効率の点では古くからの丸太法枠と変わることがない。
【０００７】
さらに、特許文献３の発明にあっては、コンクリート又はプラスチックの保護ブロックを組み合わせて格子枠を成形し、その格子平面に導水路を設けてある点は降雨に対して有効ではあるが、材料が木材でないため、出来上がった格子枠は周知のコンクリート法枠とかわることがなく、景観上好ましくない。また格子枠を構成する交差部は十字型ブロックであるため、その重量は相当に重くなて人力では持ち運びが困難となり、クレーン等のつり上げ機械を必要とし、コスト高になる。そして、時間が経過しても製品自体が存在し、植物の生育に支障をきたす場合もある。
【課題を解決するための手段】
【０００８】
本発明の第１は排水路付き丸太法枠工法において、所定の長さに切断した丸太に、その長さ方向に沿う表面に凹溝路を成形し、且つその丸太を格子に組むと共に、各丸太交差部における接続端面同士の凹溝路が合致するように対面させたものである。
【０００９】
本発明の第２は排水路付き丸太法枠工法において、所定の長さに切断した丸太に、その長さ方向に沿う表面に凹溝路を成形し、且つその丸太で内角が直角を成す菱形格子を成形すると共に、各菱形格子の丸太交差部における連結端面同士の凹溝路が合致するように向き合わせ、且つ当該丸太交差部の底部に丸太固定用と起立片付き取付プレートを配置すると共に、その取付プレートをアンカー又はロックボルトで傾斜地盤に固定したものである。
【００１０】
本発明の第３は排水路付き丸太法枠工法において、所定の長さに切断した丸太に、その長さ方向に沿う表面に凹溝路を成形し、且つその丸太で内角が直角を成す菱形格子を成形すると共に、各菱形格子の丸太交差部における連結端面同士の凹溝路が合致するように向き合わせ、且つ当該丸太交差部の底部に起立片付き取付プレートを配置すると共に、その取付プレートをアンカーで傾斜地盤に固定し、且つ丸太交差部の連結端面近傍にあけた孔と前記取付プレートに木杭を打ち込んで傾斜地盤に固定したものである。
【００１１】
本発明の第４は排水路付き丸太法枠工法において、所定の長さに切断した丸太に、その長さ方向に沿う表面に凹溝路を成形し、且つその丸太を菱形格子に組むと共に、各丸太交差部の接続端面同士の凹溝路が直線状に合致するように接合し、且つその接合部に平坦部を形成すると共に、当該平坦部に二股又は一辺に起立片を有する二股形又は矩形の取付プレートを当てがい、ボルト・釘等の止め具を取付プレートの孔に挿通して各格子用丸太に取付プレートを結合して菱形格子を成形し、且つ取付プレートの孔に挿通したアンカー又はロックボルトで格子の交差部を傾斜地盤に押圧固定したものである。
【発明の効果】
【００１２】
本発明は上記の構成であるから、次のような効果がある。すなわち、第１に、所定の長さに揃えた丸太に、その長さ方向に沿う表面に凹溝路を設け、且つこの丸太を格子形に成形したことによって降雨があると、雨水が丸太の凹溝路を伝って法尻に誘導されながら排水される。また、丸太法枠を菱形にしたことによって横向きの丸太が下方及び法枠内の土壌の荷重を分散することで、流速の緩和によって法面の侵食や崩壊を防止し、法面の安定度が増加する。
【００１３】
第２に、間伐材の有効利用および二酸化炭素（ＣＯ２）を固定した木材を利用するため、地球温暖化の防止、二酸化炭素の抑制、自然環境との調和等の効果が期待できる。
【００１４】
第３に、丸太は植物が生長するまでの期間内は表土の固定等、法面の侵食及び造成した生育基盤材を固定する緑化基礎工として目的を達成し、植物の生長により法面の安定が増すに従って腐食し、植物の養分として自然の土に変える。
【００１５】
第４に、丸太は自然や植物と馴染みやすく、景観を損なうことがなく、さらに温もりや安心感などを提供でき、周辺環境と調和しやすい。また丸太は、丸型であるため周辺の植物が侵入しやすい。さらに、丸太は保湿性があるため植物の生育環境に適している。
【００１６】
第５に、丸太は安価であると共に切断や穴あけなど、加工が容易のため現場の寸法に適応しやすいため、工事の短縮が図れて経済的である。
【００１７】
第６に、丸太による法枠は、吹付枠工のようにモルタルやコンクリートを一切使用しないため、施工時期を問わず冬期の施工も可能である。
【００１８】
第７に、法枠の交差部に丸太固定用の取付プレートをアンカーやロックボルトで固定することによって植物の生長するまでの間は、丸太との相乗効果で法面の侵食および造成した土壌の安定が図れる。また、法枠の交差部にロックボルトを使用すると比較的小規模で法面の崩壊頻度の高い崩壊深度１〜２ｍ程度の崩壊を抑止できる。さらに、ロックボルトの使用によって、斜面や法面全体の安定性を高めることができるため、法面の安定勾配が確保できない場合でも有効である。
【００１９】
第８に、取付プレートは表面に突起することがないため、動植物の活動にやさしく、さらに丸太で覆われているため目立たず自然環境と調和しやすい。また、取付プレートは丸太が腐食した後でもアンカーやロックボルトと共にその効力が持続する。
【発明を実施するための最良の形態】
【００２０】
次に、本発明に係る排水路付き丸太法枠工法を実施するための最良の形態を説明する。
【実施例】
【００２１】
図において、１は所定の長さＬに切断した丸太であり、ほぼ同じ太さに揃えた間伐材を可とするが、製品となる丸太を用いることもできる。２はその丸太の長さＬの方向に沿う表面に成形した降雨の排水用凹溝路であり、その横断面はＶ字状又はＬ字状若しくはＵ字状等の円欠溝を可とする。３は丸太を固定するための取付プレートであり、そのプレートに丸太１の切込み溝又は側面に当てがう孔付き４１の起立片４が十字形に設けられている。なお、図１３・図１４にあっては、取付プレート３の直角を成す二股縁辺に起立片３１を成形したものを示し、図１５・図１６は取付プレート３の矩形の単一縁辺に起立片３１を成形したものを示す。
【００２２】
５は取付プレート３の中央部位にあけた孔、６はその孔に挿通して傾斜地盤Ｂに打ち込むための鈎形ピン形のアンカー、６′はアンカー６と同じく地盤Ｂに打ち込むための頂部にナットを具備したロックボルト、７は丸太１を起立片４に取付けるための木製軸又はボルト等の丸棒、８は木杭又は丸鋼等のアンカーであり、丸太１の両端部にあけた孔９と取付プレート３の孔５１に挿通して傾斜地盤Ｂに固定するようになっている。１０は丸太１の側面にあけた孔、１１は丸太１の端部に成形した切込み凹状溝である。１２は取付プレートにあけた孔、１３はその孔１２に挿通して丸太１に取付けた釘又は木ねじ等の止め具である。
【００２３】
「格子交差部の第１実施例＝図２〜図５」
取付プレート上に２本の丸太１の端面が直線状に対面し、その対面位置の側面を残り２本の丸太の端面で挟む形状になっている。これによって、丸太１の加工が所定寸法Ｌ又はＬ′に切断するだけであり、且つ、丸太止め用起立片４を取付プレート３の中心に向かって取付けるため、丸太１の端部はくさび形状等の加工はしないで太さの異なる丸太が使用できる。
【００２４】
「格子交差部の第２実施例＝図６〜図９」
各丸太１を截頭したくさび形に加工し、交差部Ｃで合わせる構造になっている。これによって、丸太同士を交差部に向かって合わせるため、取付プレート３のロックボルト６′に接触しない形状になると共に、４本の丸太が十字形に一体的になる。
【００２５】
「格子交差部の第３実施例＝図１０〜図１２」
第１実施例と同じように、取付プレート上に２本の丸太１の端面が直線状に対面し、その対面位置の側面を残り２本の丸太の端面で挟む形状になっている。そして各丸太１の交差部Ｃの端部付近に孔９をあけ、その孔に木杭８を挿通し、且つ当該プレートの孔５′に通して地盤Ｂに打ち込んである。また必要に応じて丸太の接合端部の一部を削ってロックボルト６′に接触しない形状にしてある。
【００２６】
「格子交差部の第４実施例＝図１３・図１４」
取付プレート３のロックボルト６′に接触しない形状にするために、クサビ形に加工した丸太１を截頭し、交差部Ｃで合わせる構造になっている。そして、取付プレート３の二股辺の起立片３１を丸太格子Ａの交差部Ｃの二股の壁面２１に当てがい、且つ丸太同士を交差部に向かって合わせるため、４本の丸太が十字形に一体的になる。
【００２７】
「格子交差部の第５実施例＝図１５・図１６」
各丸太１を截頭したくさび形に加工し、交差部Ｃで合わせる構造になっている。そして、取付プレート３における矩形の一辺の起立片３１を丸太格子Ａの交差部Ｃの壁面２１に当てがい、且つ丸太同士を交差部に向かって合わせるため、４本の丸太が一体的になる。
【００２８】
「丸太格子に凹溝路」＝図２・図６・図１０・図１３・図１５」
横断面がＶ字形、Ｌ字形、Ｕ字形に形成した凹溝路２を介して法肩から法尻に向かって自然に誘導できるため、菱形格子枠内の侵食を抑制できる。
【００２９】
「取付プレート３の形状例１（図２〜図５）」
取付プレート３の四隅の角がそれぞれ丸太１の下になるため当該プレートが目立たない。また、丸太１と起立片４をプレート３の中心近くに取付けられるため、当該プレートの面積を小さくすることができ、材料費が削減できる。
【００３０】
「取付プレート３の形状例２（図６〜図９）」
取付プレート３を丸太１の外側に設置するため孔あけ等、加工および取付けが容易である。起立片４、孔あけの形状横方向で丸太１を固定するため、地山の軟弱（アンカーの固定が不安定）、硬質（アンカー打込み困難）に左右されず安定した固定ができる。
【００３１】
「取付プレート３の形状例３（図１０〜図１２）」
正方形の取付プレート３の中央にアンカー用孔をあけ、且つその外側の十字状にあけた先端部をアンカーを打ち込むための挿入孔５があけられている。この取付プレート上に丸太先端部位を載置して十字状に組み付ける。
【００３２】
「取付プレート３の形状例４（図１３・図１４）」
二股縁辺に起立片３１を成形した取付プレート３を菱形格子Ａの交差部Ｃにおける平坦部２′に当てがって孔１２に挿入した止め具１３で固定するようになっている。
【００３３】
「取付プレート３の形状例５（図１５・図１６）」
矩形の単一縁辺に起立片３１を成形した取付プレート３を菱形格子Ａの交差部Ｃにおける平坦部２′に当てがって孔１２に挿入した止め具１３で固定するようになっている。
【００３４】
「具体的な施工例１（図２〜図５）」  施工手順は次の通りである。(1)  なるべく同じ太さの間伐丸太１を用意し、且つ所定の長さＬに切り揃える。(2)  丸太の長さ方向に沿って略Ｖ字形又はＵ字若しくはＬ字形を成す円欠断面の凹溝路２を成形する。(3)  取付プレート３の上に置いて２本の丸太１を直線状に突合せ、残り２本で丸太の側面を挟む。(4)  丸太交差部Ｃに位置する個所に丸太取付プレート３を配置すると共に、その中央部位の孔５にアンカー６又はロックボルト６′を挿通して傾斜地盤Ｂに打ち込んで固定しておく。(5)  丸太１を用いて内角が直角を成す菱形のマス（枡）を複数作って菱形格子Ａを形成し、且つ当該マスの対向２角が上下方向に位置して菱形格子Ａになるように傾斜地盤Ｂ上に載置すると共に端部を取付プレート３の起立片４に掛止する。この場合、菱形格子枠Ａの交差部Ｃにおいて、対面する丸太１の端面同士の凹溝路２・２が合致するように向き合わせる。(6)  丸太交差部Ｃの下面に丸太固定用プレート３を配置すると共に、起立片４に当てがい、木製軸７を起立片４の孔４１に通して丸太１とプレート３を結合する。これによって、菱形格子Ａを傾斜地盤Ｂに設置固定する。
【００３５】
「具体的な施工例２（図６〜図９）」  上記の段落「００３４」の施工手順(1)及び(2)までは「具体的施工例１」と同じである。その後の手順は次のとおりである。(3)  各丸太１を截頭したくさび形に加工し、交差部Ｃで合わせる。(4)  丸太交差部に相当する位置に孔付きの取付プレート３を配置し、その中央部位の孔５にアンカー又はロックボルト６′を挿通して傾斜地盤Ｂに打ち込んで固定する。(5)  丸太１を用いて内角が直角を成す菱形マス（枡）を形成して格子を形成し、且つ当該菱形の対向２角が上下方向に位置して恰も菱形になるように傾斜地盤Ｂ上に載置する。(6)  丸太１の端部を取付プレート３の孔５に合う位置に載置する。この場合、菱形格子Ａの交差部Ｃにおいて、対面する丸太１の端面同士の凹溝路２・２が合致するように向き合わせる。(7)  丸太１の左右端部近傍の横孔１０とプレート起立片４の孔４１にボルト１４を挿通してナット１５で固定する。
【００３６】
「具体的な施工例３（図１０〜図１２）」  上記の段落「００３４」の施工手順(1)〜(3)までは「具体的施工例３」と同じであり、その後の施工手順は次の通りである。(4)  丸太交差部Ｃに起立片４付きの取付プレート３を配置し、その中央部位の孔５にアンカー又はロックボルト６′を挿通して傾斜地盤Ｂに打ち込んで固定する。(5)  前記取付プレートの上に丸太１を載置して内角が直角を成す菱形のマス（枡）を複数作って格子Ａを形成する。(6)  丸太１の端部をプレート３の孔５に合う位置に載置する。この場合、格子枠の交差部Ｃにおいて、対面する丸太の端面同士の凹溝路２が合致するように向き合わせる。(7)  丸太１の左右端部近傍の孔９と取付プレート３の孔５′に木杭８を挿通して傾斜地盤Ｂに打ち込んで丸太１とプレート３を傾斜地盤Ｂに固定する。この場合、凹溝路２に出っ張る木杭８の一部（図１２の木杭８の斜線部）を削ることもある。
【００３７】
「具体的な施工例４（図１３及び図１４）」  上記の段落「００３４」の施工手順(1)及び(2)までは「具体的施工例４」と同じであり、その後の施工手順は次の通りである。(3)  取付プレート３の中央の孔に挿通するアンカー６又はロックボルト６′を避けるために必要な丸太１を截頭したくさび形に加工し、交差部Ｃで合わせる。(4)  取付プレート３の二股形の起立片３１を丸太格子Ａの交差部Ｃの二股の壁面２１に当てがう。(5)  丸太同士を交差部Ｃに向かって合わせた状態で取付プレートの孔１２に釘・木ねじ等の止め具１３で固定することによって４本の丸太が一体的になる。
【００３８】
「具体的な施工例５（図１５及び図１６）」  上記の段落「００３４」の施工手順(1)及び(2)までは「具体的施工例５」と同じであり、その後の施工手順は次の通りである。(3)  取付プレート３の中央の孔に挿通するアンカー又はロックボルトを避けるために必要な丸太１を截頭したくさび形に加工し、交差部Ｃで合わせる。(4)  矩形取付プレート３の一辺の起立片３１を丸太格子Ａの交差部Ｃの壁面２１に当てがう。(5)  丸太同士を交差部に向かって合わせた状態で取付プレートの孔１２に釘・木ねじ等の止め具１３で固定することによって４本の丸太が一体的になる。
【産業上の利用可能性】
【００３９】
本発明は、崩壊又は造成した法面を適切な植栽を施して自然の景観を修復しながら、且つ施工した法面を降雨等によって土砂の流失を防止するあらゆる緑化工事に適用することができる。
【図面の簡単な説明】
【００４０】
【図１】本発明を適用する丸太利用の菱形法枠工の概略平面図である。
【図２】図１の菱形格子の交差部を示す第１の例を示す拡大平面図である。
【図３】図２の３−３線に沿う断面図である。
【図４】図３の他の実施例を示す断面図である。
【図５】図３の５−５線に沿う横断面図である。
【図６】菱形格子の交差部を示す第２の例を示す平面図である。
【図７】図６の７−７線に沿う断面図である。
【図８】図６の８−８線に沿う断面図である。
【図９】図６の取付プレートの平面図である。
【図１０】菱形格子の交差部において、丸太端部を木杭で取付プレートに孔を挿通して傾斜地盤に打ち込んだ第３の例を示す平面図である。
【図１１】図１０の１１−１１線に沿う断面図である。
【図１２】図１０の１２−１２線に沿う断面図である。
【図１３】菱形格子の交差部において、丸太の平坦部に起立片付きの二股形取付プレートを取付けた第４の例を示す平面図である。
【図１４】図１３の１４−１４線に沿う断面図である。
【図１５】菱形格子の交差部において、丸太の平坦部に起立片付きの取付プレートを取付けた平面図である。
【図１６】図１５の１６−１６線に沿う断面図である。
【符号の説明】
【００４１】
１……丸太
２……凹溝路
2′……丸太の平坦部
３……取付プレート
４……起立片
５……アンカー挿通孔
６……鈎形アンカー
6′…… ロックボルト
７……丸棒
８……アンカー
９……アンカー用孔
１０……ボルト挿通孔
１１……起立片装入用切込み溝
１２……取付プレートの孔
１３……釘・木ねじ等の止め具
１４……固定用ボルト
１５……ナット
【図１】
2005120706.tif 000003
【図２】
2005120706.tif 000004
【図３】
2005120706.tif 000005
【図４】
2005120706.tif 000006
【図５】
2005120706.tif 000007
【図６】
2005120706.tif 000008
【図７】
2005120706.tif 000009
【図８】
2005120706.tif 000010
【図９】
2005120706.tif 000011
【図１０】
2005120706.tif 000012
【図１１】
2005120706.tif 000013
【図１２】
2005120706.tif 000014
【図１３】
2005120706.tif 000015
【図１４】
2005120706.tif 000016
【図１５】
2005120706.tif 000017
【図１６】
2005120706.tif 000018